(57)【要約】    【課題】消しゴムカスを、大きなものから目に見えないような小さいものまで、確実に、容易に回収して廃棄することが出来る消しゴムカス回収箱の提供。    【解決手段】直方体状の消しゴムカス回収箱１の側面外側には、外磁石２が設けられており、外磁石２の下側には、この外磁石２に吸着された消しゴムカス９を投入するための消しゴムカス投入口３が設けられている。消しゴムカス回収箱１の内部には、内磁石４が投入されており、投入された消しゴムカス９が吸着される。消しゴムカス９が貯まると、消しゴムカス廃棄口５から内磁石４が取り出され、内磁石４に吸着されていた消しゴムカス９が払い落とされて廃棄される。【選択図】図１
2006212847.tif 000002
【特許請求の範囲】
【請求項１】
外面に設けられた外磁石と、
該外磁石の近傍に設けられた、消しゴムカス投入部と
を備える消しゴムカス回収箱。
【請求項２】
上記消しゴムカス投入部から飛び出さないような寸法を有する内磁石が投入され、又は内設されている請求項１に記載の消しゴムカス回収箱。
【請求項３】
消しゴムカスを廃棄するための廃棄部を備える請求項１又は２に記載の消しゴムカス回収箱。
【請求項４】
磁石吸着体を含む消しゴムが着脱自在に連設されている請求項１から３のいずれかに記載の消しゴムカス回収箱。
【発明の詳細な説明】
【技術分野】
【０００１】
本発明は、消しゴムを使用したときに生じる消しゴムカスを回収して廃棄するための消しゴムカス回収箱に関する。
【背景技術】
【０００２】
消しゴムを使用したときには、大小、多量の消しゴムカスが生じる。
【発明の開示】
【発明が解決しようとする課題】
【０００３】
消しゴムの使用により生じた消しゴムカスは、書類、机の上に散乱して書類、机の上を汚し、手で払出されることで床の上にも散乱して、床を汚すことになる。近年の消しゴムは石油化学製品から製造されているので、消しゴムカスを回収しないで放置しておくと、化学的変化が生じて机上、机の引き出し，筆箱及びカバンの中、床上等にこびりつき、取り除くことが出来なくなるという問題もある。
【０００４】
本発明の目的は、消しゴムカスを、大きなものから目に見えないような小さいものまで、確実に、容易に回収して廃棄することが出来る消しゴムカス回収箱の提供にある。
【課題を解決するための手段】
【０００５】
本発明に係る消しゴムカス回収箱は、
（１）外面に設けられた外磁石
及び
（２）外磁石の近傍に設けられた、消しゴムカス投入部
を備える。
【０００６】
好ましくは、消しゴムカス投入部から飛び出さないような寸法を有する内磁石が投入され、又は内設されている。
【０００７】
好ましくは、消しゴムカスを廃棄するための廃棄部を備える。
【０００８】
好ましくは、磁石吸着体を含む消しゴムが着脱自在に連設されている。
【発明の効果】
【０００９】
本発明の消しゴムカス回収箱によれば、磁石吸着体を含む消しゴムから生じた消しゴムカスが大小に関わらず、外磁石に吸着させられ、吸着させられた消しゴムカスは、消しゴムカス投入部から箱内に投入されるので、確実かつ容易に回収され得る。
【００１０】
消しゴムカス投入部から飛び出さないような寸法を有する内磁石が投入され、又は内設された場合においては、内部に収容された消しゴムカスがこの内磁石に吸着され、しかも内磁石が箱外に飛び出し得ないので、消しゴムカスが箱外に飛び出すおそれががない。
【００１１】
消しゴムカス廃棄部を備えた場合においては、回収した消しゴムカスを容易に廃棄することが出来る。
【００１２】
磁石吸着体を含む消しゴムが着脱自在に連設された場合においては、使用後の消しゴムの紛失が防止される。
【発明を実施するための最良の形態】
【００１３】
以下、適宜図面が参照されつつ、好ましい実施形態に基づいて本発明が詳細に説明される。
【００１４】
図１は、本発明の一実施形態に係る消しゴムカス回収箱１が示された斜視図であり、図２は、図１の消しゴムカス回収箱１の縦断面図である。この消しゴムカス回収箱１は、プラスチック製で直方体状であり、透明である。消しゴムカス回収箱１は、外磁石２、消しゴムカス投入口３、内磁石４、消しゴムカス廃棄口５、蓋部６及び消しゴム取付部７を備える。
【００１５】
外磁石２は板状で、消しゴムカス回収箱１の長側面外側に設けられており、この長側面の外磁石２の下側には、外磁石２に吸着された消しゴムカス９を投入するために、丸穴状の消しゴムカス投入口３が設けられている。消しゴムカス回収箱１の内部には、転動・摺動自在に、円板状の内磁石４が投入されている。内磁石４の径は、消しゴムカス投入口３の径より大径である。上記長側面と対向する側には、消しゴムカス廃棄口５が設けられており、この消しゴムカス廃棄口５は、蓋部６により開閉自在に構成されている。消しゴムカス廃棄口５が閉じられる場合、その端部が蓋部６の係止部６ａに係止される。また、消しゴムカス回収箱１の底面外側には、消しゴム取付部７が設けられている。
【００１６】
鉄粉８ａを数％含有した消しゴム８は、その上部に切欠部８ｂを有しており、この切欠部８ｂにより消しゴム取付部７が挟み込まれた状態で、消しゴム８が消しゴムカス回収箱１に取り付けられている。この消しゴム８の使用により生じた消しゴムカス９が、外磁石２により吸着された後、消しゴムカス回収箱１に投入され、内磁石４に吸着されている。
【００１７】
以上のように構成された消しゴムカス回収箱１は、次のようにして使用される。消しゴム８が、消しゴムカス回収箱１に取り付けられた状態で、又は取り外された状態で使用される。この使用により生じて散乱した消しゴムカス９は、鉄粉８ａを含むので、外磁石２を近づけると吸着される。これが繰り返されて、消しゴムカス９は外磁石２上に集められる。集められた消しゴムカス９は、手で、消しゴムカス投入口３から箱内に投入される。投入された消しゴムカス９は、内磁石４に吸着されて集められる。
【００１８】
消しゴムカス回収箱１内の消しゴムカス９が貯まった場合は、蓋部６が開かれ、内磁石４が取り出されて、消しゴムカス９が内磁石４から払い落とされて廃棄される。図３は、内磁石４及び消しゴムカス９が、消しゴムカス回収箱１から取り出された状態が示された平面図である。
【００１９】
本実施形態の消しゴムカス回収箱１においては、消しゴム８から生じた消しゴムカス９が外磁石２により吸着させられ、消しゴムカス投入口３から箱内に投入されるので、確実かつ容易に回収され得る。従って、消しゴムカス９による、机上、机の引き出し，筆箱，書類及びカバンの中、床上の汚染が防止される。
【００２０】
そして、投入された消しゴムカス９は、内磁石４に吸着されるが、内磁石４の径は消しゴムカス投入口３より大径であるので、内磁石４は箱外に飛び出し得ず、消しゴムカス９が消しゴムカス投入口３から箱外に飛び出すことがない。従って、この消しゴムカス回収箱１がかばん、机の引き出し等にしまわれた場合に、消しゴムカス９が消しゴムカス回収箱１からこぼれ出て再汚染することがない。消しゴムカス９は、内磁石４に吸着されて集められているので、蓋部６を開けて内磁石６を取り出し、払い落とすことで、容易に廃棄され得る。
【００２１】
この消しゴムカス回収箱１においては、消しゴム８が着脱自在に連設されているので、必要に応じて消しゴム８を取り外すことが出来、使用後は消しゴムカス回収箱１に取り付けられるので、消しゴム８の紛失が防止される。
【００２２】
本実施形態においては、内磁石４が消しゴムカス回収箱１内に転動・摺動自在に投入されている場合につき説明しているがこれに限定されるものではなく、消しゴムカス回収箱１内に取り付けられることにしてもよい。また、消しゴム８は、消しゴムカス回収箱１の底面外側に取り付けられる場合に限定されず、独立させることにしてもよい。さらに、消しゴム８に含有させて外磁石２及び内磁石４に吸着されるようにするための物質は、鉄粉には限定されない。
【００２３】
そして、外磁石２、消しゴムカス投入口３、内磁石４の形状は、本実施形態において説明した形状に限定されない。但し、内磁石４は、消しゴムカス投入口３から飛び出さないような寸法を有するものでなければならない。
【産業上の利用可能性】
【００２４】
本発明は、消しゴムを使用したときに生じる消しゴムカスを回収して廃棄するために適用される。
【図面の簡単な説明】
【００２５】
【図１】図１は、本発明の一実施形態に係る消しゴムカス回収箱が示された斜視図である。
【図２】図２は、図１の消しゴムカス回収箱の縦断面図である。
【図３】図３は、内磁石及び消しゴムカスが、消しゴムカス回収箱から取り出された状態が示された平面図である。
【符号の説明】
【００２６】
１・・・消しゴムカス回収箱
２・・・外磁石
３・・・消しゴムカス投入口
４・・・内磁石
５・・・消しゴムカス廃棄口
６・・・蓋部
７・・・消しゴム取付部
８・・・消しゴム
８ａ・・・鉄粉
９・・・消しゴムカス
【図１】
2006212847.tif 000003
【図２】
2006212847.tif 000004
【図３】
2006212847.tif 000005